(57)【要約】【課題】安価な構成で保守点検実施の有無を正確に検出することができるエレベータの制御装置を提供する。【解決手段】外部からの操作に基づいて、エレベータの機器の検査を実施する機器制御部と、機器の検査が実施された際に、機器に対する検査の実施状況を記録する記録部と、実施状況に対応した実施状況信号を出力する実施状況信号出力部と、を備えた。すなわち、自動で異常診断を行うシステムを制御装置に組み込むことなく、エレベータの保守点検を実施する。【選択図】図１
2013095593.tif 000002
【特許請求の範囲】
【請求項１】
外部からの操作に基づいて、エレベータの機器の検査を実施する機器制御部と、
前記機器の検査が実施された際に、前記機器に対する検査の実施状況を記録する記録部と、
前記実施状況に対応した実施状況信号を出力する実施状況信号出力部と、
を備えたことを特徴とするエレベータの制御装置。
【請求項２】
所定の操作を受け付ける入力部、
を備え、
前記実施状況出力部は、前記入力部に対して前記所定の操作がなされた際に、前記実施状況信号を出力することを特徴とするエレベータの制御装置。
【請求項３】
前記記録部における前記機器の検査の実施状況の更新を検出する監視部と、
前記監視部により前記機器に対する検査の実施状況の記録が所定期間更新されない場合に、警告信号を出力する警告信号出力部と、
備えたことを特徴とする請求項１又は請求項２に記載のエレベータの制御装置。
【発明の詳細な説明】
【技術分野】
【０００１】
この発明は、エレベータの制御装置に関するものである。
【背景技術】
【０００２】
エレベータにおいては、法令や定期点検マニュアル等に基づいて、各機器の検査を定期的に実施することが義務付けられている。
【０００３】
そこで、自動で異常診断を実施するシステムを組み込んだ制御装置が提案されている。当該制御装置によれば、各機器の異常診断を定期的に実施することができる（例えば、特許文献１参照）。
【０００４】
しかしながら、当該制御装置には、自動で異常診断を行うシステムを組み込む必要がある。このため、当該制御装置のコストが上がる。
【０００５】
これに対し、入力手段から入力された保守点検項目を保存するデータベースを備えた制御装置が提案されている。当該制御装置によれば、コストを上げずに、保守点検の実施項目を確認することができる。
【先行技術文献】
【特許文献】
【０００６】
【特許文献１】特開２００７−１３７６１７号公報
【特許文献２】特開２００６−２６４８３９号公報
【発明の概要】
【発明が解決しようとする課題】
【０００７】
しかしながら、当該制御装置においては、保守点検の実施行為とは別に保守点検の実施項目を入力する必要がある。このため、保守点検の実施項目を誤入力し得る。
【０００８】
この発明は、上述の課題を解決するためになされたもので、その目的は、安価な構成で保守点検実施の有無を正確に検出することができるエレベータの制御装置を提供することである。
【課題を解決するための手段】
【０００９】
この発明に係るエレベータの制御装置は、外部からの操作に基づいて、エレベータの機器の検査を実施する機器制御部と、前記機器の検査が実施された際に、前記機器に対する検査の実施状況を記録する記録部と、前記実施状況に対応した実施状況信号を出力する実施状況信号出力部と、を備えたものである。
【発明の効果】
【００１０】
この発明によれば、安価な構成で保守点検実施の有無を正確に検出することができる。
【図面の簡単な説明】
【００１１】
【図１】この発明の実施の形態１におけるエレベータの制御装置が利用されるエレベータのブロック図である。
【図２】この発明の実施の形態１におけるエレベータの制御装置の処理を説明するためのフローチャートである。
【図３】この発明の実施の形態１におけるエレベータの制御装置の処理を説明するためのフローチャートである。
【図４】この発明の実施の形態１におけるエレベータの制御装置の処理を説明するためのフローチャートである。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１におけるエレベータの制御装置が利用されるエレベータのブロック図である。
【００１４】
図１において、１はエレベータである。建築物に設けられる。建築物には、エレベータ１の管理室が設けられる場合もある。管理室は、当該建築物と別の建築物に設けられる場合もある。エレベータ１には、昇降路（図示せず）が設けられる。昇降路は、建築物の各階を貫くように形成される。昇降路の上方には、機械室（図示せず）が設けられる場合もある。
【００１５】
昇降路又は機械室には、巻上機１ａが設けられる。巻上機１ａの外周面に対向するように、ブレーキ装置１ｂが設けられる。巻上機１ａには、主索（図示せず）が巻き掛けられる。主索の一側には、かご（図示せず）が設けられる。主索の他側には、おもり（図示せず）が設けられる。
【００１６】
エレベータ１においては、巻上機１ａの回転に追従して、主索が移動する。当該移動に追従して、かごとおもりとが互いに反対方向に昇降する。巻上機１ａの回転が停止すると、主索の移動も停止する。このとき、ブレーキ装置１ｂは、巻上機１ａを静止保持する。
【００１７】
２はエレベータ装置制御部である。例えば、エレベータ装置制御部２は、制御盤からなる。制御盤は、昇降路又は機械室に設けられる。エレベータ装置制御部２には、保守点検操作部３が接続される。例えば、保守点検操作部３は、エレベータ装置制御部２に対して着脱自在の保守ツールやハンド操作部からなる。保守点検操作部３には、ディスプレイ（図示せず）とスピーカ（図示せず）とが設けられる。
【００１８】
エレベータ装置制御部２には、保守点検対象機器制御部４、保守点検記録部５、保守点検監視部６、特殊操作・認証入力部７、表示・音声出力制御部８が接続される。
【００１９】
保守点検対象機器制御部４は、巻上機１ａやブレーキ装置１ｂ等、エレベータ１の各機器の保守点検（検査）時に各機器の動作を制御する機能を備える。保守点検記録部５は、各機器に対する保守点検の実施状況に関するデータを記録する機能を備える。保守点検監視部６は、保守点検記録部５に記録されたデータに基づいて、各機器に対する保守点検の実施状況の更新を検出する機能を備える。
【００２０】
特殊操作・認証入力部７は、所定の入力操作により特殊操作又は認証がなされたことを受け付ける機能を備える。表示・音声出力制御部８は、保守点検操作部３のディスプレイやスピーカから出力する内容に対応した信号を出力する３ｂ機能を備える。
【００２１】
次に、図２を用いて、各機器に対する保守点検の実施状況の記録方法を説明する。
図２はこの発明の実施の形態１におけるエレベータの制御装置の処理を説明するためのフローチャートである。
【００２２】
ステップＳ１では、エレベータ１が通常モードのとき、エレベータ装置制御部２は、保守点検操作部３での操作内容に基づいて、各機器に対する保守点検の要求があるか否かを判定する。各機器に対する保守点検の要求がない場合は、処理が終了する。各機器に対する保守点検の要求がある場合は、ステップＳ２に進む。
【００２３】
ステップＳ２では、エレベータ１は、保守点検モードに移行する。すなわち、エレベータ装置制御部２は、保守点検操作部３で指定された機器に関し、保守点検対象機器制御部４に制御信号を出力することにより保守点検を要求する。当該要求に基づいて、保守点検対象機器制御部４は、所定の保守点検動作となるように指定された機器を制御する。
【００２４】
その後、ステップＳ３に進み、エレベータ装置制御部２は、保守点検記録部５に保守点検記録を要求する。当該要求に基づいて、保守点検記録部５は、保守点検実施項目と実施日時を指定された機器の名称と対応付けて記録する。その後、処理が終了する。
【００２５】
次に、図３を用いて、各機器の保守点検記録の報知方法を説明する。
図３はこの発明の実施の形態１におけるエレベータの制御装置の処理を説明するためのフローチャートである。
【００２６】
ステップＳ１１では、エレベータ１が通常モードのとき、エレベータ装置制御部２は、特殊操作・認証入力部７に対して特殊操作・認証の入力があるか否かを判定する。特殊操作・認証の入力がない場合は、処理が終了する。特殊操作・認証の入力がある場合は、ステップＳ１２に進む。
【００２７】
ステップＳ１２では、エレベータ装置制御部２は、表示・音声出力制御部８に保守点検記録報知を要求する。当該要求に基づいて、表示・音声出力制御部８は、実施状況信号出力部として、保守点検記録部５に記録された保守点検記録に対応した実施状況信号を出力する。
【００２８】
当該実施状況信号に基づいて、保守点検操作部３のディスプレイは、各機器に対する保守点検実施項目と実施日時を表示する。保守点検操作部３のスピーカは、各機器に対する保守点検実施項目と実施日時を音声で出力する。
【００２９】
次に、図４を用いて、各機器に対する保守点検が所定期間実施されない場合を説明する。
図４はこの発明の実施の形態１におけるエレベータの制御装置の処理を説明するためのフローチャートである。
【００３０】
ステップＳ２１では、エレベータ１が通常モードのとき、エレベータ装置制御部２は、保守点検監視部６の検出結果に基づいて、各機器に対して保守点検を実施してから所定期間経過した検査項目があるか否かを判定する。所定期間が経過した検査項目がない場合は、処理が終了する。所定期間が経過している検査項目がある場合は、ステップＳ２１に進む。
【００３１】
ステップＳ２１では、エレベータ装置制御部２は、表示・音声出力制御部８に保守点検未実施表示とアラーム出力を要求する。当該要求に基づいて、表示・音声出力制御部８は、警告信号出力部として、保守点検未実施表示とアラーム出力に対応した警告信号を出力する。
【００３２】
保守点検操作部３のディスプレイは、所定期間が経過した検査項目を特定のパターンで表示する。保守点検操作部３のスピーカは、所定期間が経過した検査項目を特定のパターン音で出力する。所定期間が経過した検査項目は、設定された日時に管理室等に特定のパターンで報知される場合もある。
【００３３】
以上で説明した実施の形態１によれば、エレベータ装置制御部２は、外部からの操作に基づいて、保守点検対象機器制御部４を介して各機器の保守点検を実施する。すなわち、保守点検を実施する時期を制御装置自体で管理する必要がない。このため、安価な構成で各機器の保守点検を実施することができる。
【００３４】
この際、保守点検の実施項目に対応した実施状況信号が出力される。このため、保守点検実施項目の有無を容易かつ正確に検出することができる。その結果、保守点検が未実施のエレベータ１を是正することができる。当該是正により、エレベータ１の故障を軽減することができる。
【００３５】
また、実施状況信号は、特殊操作・認証入力での操作に基づいて出力される。このため、保守点検実施項目等が外部に漏洩すること抑制できる。
【００３６】
また、各機器の保守点検が所定期間実施されない場合は、警告信号が出力される。このため、保守業者が必要な保守点検を実施していないことを管理責任者等に通知することができる。
【００３７】
なお、巻上機１ａやブレーキ装置１ｂ以外の機器に対する保守点検の実施状況の検出に上記制御装置を利用してもよい。また、複数のエレベータ１の各機器に対する保守点検の実施状況の検出に上記制御装置を利用してもよい。
【符号の説明】
【００３８】
１  エレベータ
１ａ  巻上機
１ｂ  ブレーキ装置
２  エレベータ装置制御部
３  保守点検操作部
４  保守点検対象機器制御部
５  保守点検記録部
６  保守点検監視部
７  特殊操作・認証入力部
８  表示・音声出力制御部
【図１】
2013095593.tif 000003
【図２】
2013095593.tif 000004
【図３】
2013095593.tif 000005
【図４】
2013095593.tif 000006